(57)【要約】【課題】容易に現在位置と過去の位置との比較表示を行うことが可能な指針式表示装置を提供する。【解決手段】現在位置を取得する位置取得手段と、位置取得手段により取得された位置を記憶する記憶手段と、回動自在に配置された指針と、位置取得手段により直近に取得された直近位置を示す動作と、この直近位置より前に取得されて記憶手段に記憶された前回位置を示す動作とを、指針により各々予め設定された時間ずつ交互に行わせる位置表示制御手段と、を備える。【選択図】図５
2015184105.tif 000002
【特許請求の範囲】
【請求項１】
現在位置を取得する位置取得手段と、
当該位置取得手段により取得された位置を記憶する記憶手段と、
回動自在に配置された指針と、
前記位置取得手段により直近に取得された直近位置を示す動作と、当該直近位置より前に取得されて前記記憶手段に記憶された前回位置を示す動作とを、前記指針により各々予め設定された時間ずつ交互に行わせる位置表示制御手段と、
を備えることを特徴とする指針式表示装置。
【請求項２】
前記予め設定された時間は、前記直近位置を示す動作に係る時間が前記前回位置を示す動作に係る時間より長くなるように定められることを特徴とする請求項１記載の指針式表示装置。
【請求項３】
前記位置表示制御手段は、前記直近位置と前記前回位置との差が所定の範囲内である場合には、前記前回位置を示す動作として、前記直近位置に対応する指示位置に対して所定の角度範囲内で前記指針を往復動作させることを特徴とする請求項１又は２記載の指針式表示装置。
【請求項４】
前記所定の角度範囲は、前記直近位置に対応する指示位置に対して前記指針の正転方向及び逆転方向に等しい角度ずつ定められることを特徴とする請求項３記載の指針式表示装置。
【請求項５】
前記指針には、二次元面内における位置の一方の座標成分を示す第１指針と他方の座標成分を示す第２指針とが含まれ、
前記位置表示制御手段は、前記直近位置及び前記前回位置に係る前記一方の座標成分の差及び前記他方の座標成分の差がそれぞれ前記所定の範囲内であるか否かに基づいて前記第１指針及び前記第２指針の動作を別個に制御する
ことを特徴とする請求項３又は４記載の指針式表示装置。
【請求項６】
前記指針には、緯度を示す緯度指針と経度を示す経度指針とが含まれ、
前記緯度指針と前記経度指針とは、それぞれ３６０度回動可能であり、
前記緯度指針は、所定の１８０度の範囲で北緯を表示し、残りの１８０度の範囲で南緯を表示し、
前記位置表示制御手段は、前記経度指針に、２つの前記１８０度の範囲のうち、前記緯度指針が緯度を表示していない側の１８０度の範囲で経度を表示させるように前記緯度指針及び前記経度指針を移動させる
ことを特徴とする請求項１〜４の何れか一項に記載の指針式表示装置。
【請求項７】
前記指針には、緯度を示す緯度指針と経度を示す経度指針とが含まれ、
前記緯度指針と前記経度指針とは、それぞれ３６０度回動可能であり、
前記経度指針は、所定の１８０度の範囲で東経を表示し、残りの１８０度の範囲で西経を表示し、
前記位置表示制御手段は、前記緯度指針に、２つの前記１８０度の範囲のうち、前記経度指針が経度を表示していない側の１８０度の範囲で緯度を表示させるように前記緯度指針及び前記経度指針を移動させる
ことを特徴とする請求項１〜４の何れか一項に記載の指針式表示装置。
【発明の詳細な説明】
【技術分野】
【０００１】
この発明は、位置情報を取得して表示する指針式表示装置に関する。
【背景技術】
【０００２】
従来、多様な計測センサにより取得された情報や外部から取得された情報を表示することが出来る多機能電子時計がある。この電子時計により表示が行われる多様な機能の一つとして、ＧＮＳＳ（Global Navigation Satellite System）に係る測位システムの衛星（測位衛星）からの送信電波を受信して得られる位置情報がある。近年、アメリカのＧＰＳ（Global Positioning System）といった測位システムの民生利用が盛んになり、電子時計でもこれらの測位システムを利用した測位や測位結果の表示を行うことの出来るものが増えている。このような測位結果などの位置情報は、ユーザの要求による位置の取得に加えて、時刻表示に係るタイムゾーンの設定にも利用される。
【０００３】
このような多機能表示が可能な電子時計としては、従来、デジタル表示画面を備えた電子時計が多いが、複数の指針を用いて指針の指し示す位置に応じて各種情報を表示するアナログ式の多機能電子時計も知られている。
【０００４】
しかしながら、アナログ式の多機能電子時計では、実行可能な機能の数に比して操作に用いられる押しボタンなどの構成要素数が限られ、操作が煩雑になってユーザの負担が増すという問題がある。特許文献１には、ボタン操作により受け付けられる命令を機能モードに応じて切り替えて、時刻表示状態の場合と位置表示状態の場合とで適切な受信動作及び指針による位置表示を行わせるアナログ電子時計について開示されている。
【先行技術文献】
【特許文献】
【０００５】
【特許文献１】特開２００９−２２９１０６号公報
【発明の概要】
【発明が解決しようとする課題】
【０００６】
しかしながら、指針の数や指針を動作させるモータの数が限られ、また、限られた文字盤のエリアに各機能に係る目盛や標識を設ける必要のある電子時計のような指針式表示装置における位置の表示では、タイムゾーンの移動などに係る前回位置と今回位置といった複数の値の比較を行うという要求がある一方で、従来、このような表示やそのための操作が煩雑になるという課題があった。
【０００７】
この発明の目的は、容易に現在位置と過去の位置との比較表示を行うことが可能な指針式表示装置を提供することにある。
【課題を解決するための手段】
【０００８】
本発明は、上記目的を達成するため、
現在位置を取得する位置取得手段と、
当該位置取得手段により取得された位置を記憶する記憶手段と、
回動自在に配置された指針と、
前記位置取得手段により直近に取得された直近位置を示す動作と、当該直近位置より前に取得されて前記記憶手段に記憶された前回位置を示す動作とを、前記指針により各々予め設定された時間ずつ交互に行わせる位置表示制御手段と、
を備えることを特徴とする指針式表示装置である。
【発明の効果】
【０００９】
本発明に従うと、指針式表示装置において、容易に現在位置と過去の位置との比較表示を行うことが出来るという効果がある。
【図面の簡単な説明】
【００１０】
【図１】本発明のアナログ電子時計の実施形態を示す正面図である。
【図２】アナログ電子時計の内部構成を示すブロック図である。
【図３】位置情報取得処理の制御手順を示すフローチャートである。
【図４】測位結果表示処理の制御手順を示すフローチャートである。
【図５】指針による位置表示の例を示す図である。
【図６】第２実施形態のアナログ電子時計の内部構成を示すブロック図である。
【図７】第２実施形態のアナログ電子時計における機能モード指針に対応する小窓内部を示した平面図である。
【図８】第２実施形態のアナログ電子時計における測位結果表示処理の制御手順を示すフローチャートである。
【図９】第２実施形態のアナログ電子時計による位置表示の例を示す図である。
【図１０】第２実施形態のアナログ電子時計における測位結果表示処理の他の例を示すフローチャートである。
【図１１】第３実施形態のアナログ電子時計による位置情報取得処理の制御手順を示すフローチャートである。
【発明を実施するための形態】
【００１１】
以下、本発明の実施の形態を図面に基づいて説明する。
［第１実施形態］
図１は、本発明の指針式表示装置の第１実施形態であるアナログ電子時計１の正面図である。
このアナログ電子時計１は、内部に各構成を収めるケーシング２と、ケーシング２内で一方の面（露出面）が外部に露出される文字盤３と、文字盤３の露出面を覆う図示略の透明部材（風防ガラス）と、文字盤３の略中心を回転軸として文字盤３の略全面に亘って回転動作し、文字盤３の外縁付近に設けられた標識や目盛を指し示す３本の時刻指針６１、６２、６３と、文字盤３の３時位置に設けられた小窓４及び小窓４の内部で回転動作するモード指針６５（指針）と、文字盤３の８時位置に設けられた小窓５及び小窓５の内部で回転動作する機能指針６６、６７と、文字盤３の１０時位置に設けられた小窓６及び小窓６の内部で回転する２４時間指針６８と、文字盤３の露出面とは反対側に当該文字盤３と平行に設けられ、回転動作に応じて文字盤３の４時３０分位置に設けられた開口部７から一の標識が露出される日車６４と、ケーシング２における文字盤３の露出面側に対して側面側に設けられたりゅうずＣ１及び押しボタンスイッチＢ１、Ｂ２、Ｂ３などを備える。
【００１２】
時刻指針６１〜６３は、それぞれ、秒針６１、分針６２及び時針６３であり、通常、時刻を表示する場合に、それぞれ、時刻の時、分、秒を指し示す。日車６４は、その周縁部に日付を表す標識が順番に等間隔で設けられて、これらの標識のうちの一つが開口部７から露出されることで日付を示す。また、本実施形態のアナログ電子時計１では、秒針６１が各種機能に係る表示や設定に用いられる。
【００１３】
モード指針６５は、小窓４内部の３時側に設けられた７つの標識の何れかを指し示すことで曜日を示し、小窓４内部の９時側に設けられた標識の何れかを指し示すことで、実行中の機能モードを示す。機能モードとしては、ストップウォッチモード、アラームモード及びタイマーモードがあり、また、時刻表示モードに関して夏時間の実施中であるか否かについて示される。また、これらの各種機能モードと平行して、通信に係る電波送受信を禁止する機内モードの設定が可能となっている。更に、小窓４の３時側半分には、罫線が設けられた半球状の図が表示され、モード指針６５の指し示す方向と３時方向（水平方向）とのなす角度により緯度が表示される。
【００１４】
機能指針６６、６７は、それぞれ、小窓５の内部において、上述の各種機能モードの実行に係る表示に用いられる。即ち、機能指針６６、６７は、ストップウォッチやタイマにおける計測時間、アラーム設定時刻や通常の時刻表示モードにおける他の地点での時刻（世界時計）の表示を行う。
【００１５】
２４時間指針６８は、小窓６の内部で一周することにより時刻指針６１〜６３による表示時刻と対応した２４時間表示での時刻を指し示し、ユーザに午前又は午後の何れであるかを示す。
【００１６】
りゅうずＣ１及び押しボタンスイッチＢ１〜Ｂ３は、それぞれ、ユーザからの入力操作を受け付ける。ケーシング２から２段階の引き出しが可能であり、引き出された状態で回転操作が行われることにより各種設定に用いられる。押しボタンスイッチＢ１〜Ｂ３は、それぞれ、押下されることで機能モードの種別変更を行い、また、機能モードごとに割り当てられた動作命令を受け付ける。
【００１７】
図２は、アナログ電子時計１の内部構成を示すブロック図である。
アナログ電子時計１は、ＣＰＵ４１（Central Processing Unit）（位置表示制御手段）と、ＲＯＭ４２（Read Only Memory）と、ＲＡＭ４３（Random Access Memory）（記憶手段）と、発振回路４４と、分周回路４５と、計時回路４６と、操作部４７と、標準電波受信部４８及びそのアンテナ４９と、ＧＰＳ受信処理部５０（位置取得手段）及びそのアンテナ５１と、駆動回路５２と、電源部５４と、上述の時刻指針６１〜６３、日車６４、モード指針６５、機能指針６６、６７及び２４時間指針６８と、輪列機構７１〜７５と、ステッピングモータ８１〜８５などを備える。
【００１８】
ＣＰＵ４１は、各種演算処理を行い、また、アナログ電子時計１の全体動作を統括制御する。ＣＰＵ４１は、日時の表示に係る指針動作を制御すると共に、標準電波受信部４８を動作させて受信データを取得して日時を算出したり、ＧＰＳ受信処理部５０を動作させて日時情報を取得したりする。また、ＣＰＵ４１は、得られた日時データに基づいて、計時回路４６の計数する日時を修正する。
【００１９】
ＲＯＭ４２は、ＣＰＵ４１により実行される各種制御用のプログラム４２ａや設定データを格納する。プログラム４２ａには、例えば、各種機能モードの動作制御に係るプログラムが含まれている。
【００２０】
ＲＡＭ４３は、ＣＰＵ４１に作業用のメモリ空間を提供し、一時データを記憶する。ＲＡＭ４３には、また、日時情報及び位置情報取得の履歴、都市設定や指針位置を示すデータなどが記憶されている。
【００２１】
発振回路４４は、所定の周波数信号を生成して出力する。発振回路４４は、例えば、水晶発振器を備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
【００２２】
計時回路４６は、所定の日時を示す初期値に分周回路４５から入力される分周信号を計数して加算していくことにより現在の日時を計数する。この計時回路４６により計数される日時は、発振回路４４の精度に応じた誤差（歩度）、例えば、一日に０．５秒程度、を有する。この計時回路４６の計数する日時は、ＣＰＵ４１からの制御信号により修正されることが可能となっている。
【００２３】
操作部４７は、ユーザからの入力操作を受け付ける。操作部４７には、上述の押しボタンスイッチＢ１〜Ｂ３やりゅうずＣ１が含まれる。押しボタンスイッチＢ１〜Ｂ３がそれぞれ押下されたり、りゅうずＣ１が引き出され、押し戻され、また、回転動作がなされたりした場合には、動作種別に応じた電気信号がＣＰＵ４１に出力される。
【００２４】
標準電波受信部４８は、アンテナ４９を用いて長波長帯の電波を受信して、振幅変調された標準電波の時刻信号出力（ＴＣＯ）を復調し、ＣＰＵ４１に出力する。標準電波受信部４８による長波長帯の同調周波数は、ＣＰＵ４１の制御により受信対象の標準電波送信局からの送信周波数に応じて変更される。また、標準電波受信部４８は、受信感度を向上させるための各種処理を行い、アナログ信号を所定のサンプリング周波数でデジタル化してＣＰＵ４１に出力する。
【００２５】
ＧＰＳ受信処理部５０は、アンテナ５１を用いてＬ１帯（１．５７５４２ＧＨｚ）の電波を受信し、測位衛星、ここでは例えば、ＧＰＳ（Global Positioning System）に係る測位衛星（ＧＰＳ衛星）からのスペクトラム拡散された送信電波を復調して信号（航法メッセージデータ）を復号、解読する。解読された航法メッセージデータの内容に対して、更に、必要に応じて各種演算処理が行われ、ＣＰＵ４１からの要求に応じたデータが予め設定されたフォーマットでＣＰＵ４１に出力される。これらの受信、解読、演算及び出力に係る動作制御は、ＧＰＳ受信処理部５０に設けられた制御部５０ａ（マイコン）によりなされる。これらのＧＰＳ受信処理部５０における受信処理に係る各構成は、まとめて一つのモジュールとしてチップ上に形成され、ＣＰＵ４１と接続される。ＧＰＳ受信処理部５０の動作は、ＣＰＵ４１により、アナログ電子時計１の他の各部の動作とは独立にオンオフの制御がなされる。アナログ電子時計１では、ＧＰＳ受信処理部５０を動作させる必要が無い場合には、ＧＰＳ受信処理部５０への電力供給を中断することで省電力化が図られている。
【００２６】
また、ＧＰＳ受信処理部５０は、記憶部を備える。この記憶部には、フラッシュメモリやＥＥＰＲＯＭ（Electrically Erasable and Programmable Read Only Memory）といった不揮発性メモリが用いられ、ＧＰＳ受信処理部５０への電力供給状態に依らず記憶された内容が保持される。記憶部には、各種動作制御プログラム、各ＧＰＳ衛星の予測軌道情報や日時を取得する際の設定値、例えば、うるう秒補正値などを記憶させておくことが出来る。なお、予測軌道情報をアナログ電子時計１のＲＡＭ４３に記憶させ、必要に応じて制御部５０ａがＣＰＵ４１から情報を受け取る構成であっても良い。また、動作制御プログラムは、専用のＲＯＭに格納されて、起動時に読み出されて制御部５０ａのＲＡＭにロードされても良い。
【００２７】
電源部５４は、各部の動作に係る電力を所定電圧で供給する。電源部５４は、バッテリを有し、このバッテリとしては、例えば、ソーラバッテリと二次電池とを備える。或いは、バッテリとして交換可能なボタン型の乾電池を用いても良い。また、電源部５４から複数の異なる電圧が出力される場合には、例えば、スイッチング電源などを用いて所望の電圧に変換して出力可能な構成とすることが出来る。
【００２８】
ステッピングモータ８１は、複数の歯車の配列である輪列機構７１を介して秒針６１を回転動作させる。ステッピングモータ８１が一回駆動されると、秒針６１は、１ステップ６度回転し、ステッピングモータ８１の６０回の動作により文字盤３上で一周する。
ステッピングモータ８２は、輪列機構７２を介して分針６２、時針６３及び２４時間指針６８を回転動作させる。輪列機構７２は、分針６２、時針６３及び２４時間指針６８を連動して回転させる構成であり、分針６２を１度ずつ回転移動させると共に時針６３を１／１２度ずつ回転移動させ、また、２４時間指針６８を１／２４度ずつ回転移動させる。従って、分針６２及び時針６３が１０秒に１回ずつ回転移動されると、分針６２は、１時間で文字盤３上を一周し、これにより時針６３が文字盤３上で３０度移動すると共に２４時間指針６８が小窓６内で１５度移動する。即ち、時針６３は、１２時間で文字盤３上を一周し、２４時間指針６８は、２４時間で小窓６内を一周する。
【００２９】
ステッピングモータ８３は、輪列機構７３を介して日車６４を回転動作させる。ステッピングモータ８３が一回駆動されると、日車６４は、１ステップ分の角度回転移動し、１５０ステップの回転移動により３６０／３１度の回転が生じて、開口部７から露出される日付標識が１日分変化する。そして、日車６４が３１日分回転移動すると、再び最初の日付を示す日付標識が開口部７から露出されることになる。
【００３０】
ステッピングモータ８４は、輪列機構７４を介してモード指針６５を回転動作させる。ステッピングモータ８４が一回駆動されると、モード指針６５は、１ステップ１度回転移動する。従って、ステッピングモータ８４が３６０回回転駆動されることで、モード指針６５が小窓４内を一周する。
【００３１】
ステッピングモータ８５は、輪列機構７５を介して機能指針６６、６７を回転動作させる。輪列機構７５は、機能指針６６及び機能指針６７を連動して回転させる構成であり、機能指針６６を６度ずつ回転移動させると共に機能指針６７を１／２度ずつ回転移動させる。従って、機能指針６６及び機能指針６７が１分に１回ずつ回転移動されると、機能指針６６は、１時間で小窓５内を一周し、また、機能指針６７が小窓５内で３０度移動する。即ち、機能指針６７は、１２時間で小窓５内を一周する。
【００３２】
時刻指針６１〜６３、日車６４、モード指針６５、機能指針６６、６７及び２４時間指針６８は、特には限られないが、正転方向（時刻が進む方向）に９０ｐｐｓ（pulse per second）で回転移動可能であり、また、逆転方向に３２ｐｐｓで回転移動可能となっている。
【００３３】
駆動回路５２は、ＣＰＵ４１からの制御信号に従ってステッピングモータ８１〜８５に所定電圧の駆動パルスを出力する。駆動回路５２は、アナログ電子時計１の状態などに応じて駆動パルスの長さ（パルス幅）を変更させることが出来る。また、複数の指針を同時に駆動させる制御信号が入力された場合に、負荷を低減させるために僅かに駆動パルスの出力タイミングをずらしたりすることが出来る。
【００３４】
次に、本実施形態のアナログ電子時計１による位置表示動作について説明する。
図３は、アナログ電子時計１で実行される位置情報取得処理のＣＰＵ４１による制御手順を示すフローチャートである。
【００３５】
この位置情報取得処理は、ユーザにより押しボタンスイッチＢ１〜Ｂ３に対して予め設定された操作が入力された場合に実行される。
位置情報取得処理が開始されると、ＣＰＵ４１は、ＧＰＳ受信処理部５０を起動し、また、ＧＰＳ受信処理部５０に出力データの内容（フォーマット）や衛星軌道データなどの設定データを出力する（ステップＳ１０１）。次いで、ＣＰＵ４１は、指針を移動させて測位動作中であることを表示させる（ステップＳ１０２）。ＣＰＵ４１は、ＧＰＳ受信処理部５０からの入力を待ち受け、設定フォーマットによる出力データを取得する（ステップＳ１０３）。
【００３６】
ＣＰＵ４１は、ＧＰＳ受信処理部５０の動作を停止させる（ステップＳ１０４）。ＣＰＵ４１は、ＲＡＭ４３に記憶された前回の測位結果（前回位置）を読み出し、この前回の位置と取得された今回の測位結果（直近位置）とに基づいて、モード指針６５の結果表示に係る動作を決定する（ステップＳ１０５）。ＣＰＵ４１は、駆動回路５２に制御信号を出力して、決定された動作をモード指針６５に行わせる測位結果表示処理を行う（ステップＳ１０６）。そして、ＣＰＵ４１は、位置情報取得処理を終了する。
【００３７】
図４は、ステップＳ１０６の処理で呼び出される測位結果表示処理の制御手順を示すフローチャートである。
【００３８】
測位結果表示処理が呼び出されると、ＣＰＵ４１は、先ず、今回の測位結果に係る指針位置へモード指針６５を移動させる制御信号を駆動回路５２に出力する（ステップＳ１６１）。ＣＰＵ４１は、移動開始から３秒間（予め設定された時間）経過するまで待機する（ステップＳ１６２）。
【００３９】
ＣＰＵ４１は、所定の表示時間が経過したか否かを判別する（ステップＳ１６３）。所定の経過時間が経過したと判別された場合には（ステップＳ１６３で“ＹＥＳ”）、ＣＰＵ４１は、モード指針６５を元の表示位置に戻す制御信号を駆動回路５２に出力して（ステップＳ１６４）、測位結果表示処理を終了し、処理を位置情報取得処理に戻す。
【００４０】
所定の表示時間が経過していないと判別された場合には（ステップＳ１６３で“ＮＯ”）、ＣＰＵ４１は、前回の位置（角度）との差が所定角度（所定の範囲、ここでは、例えば、１度や５度など、地球全体（１８０度）に対して十分に小さい範囲）内であるか否かを判別する（ステップＳ１７１）。所定角度内であると判別された場合には（ステップＳ１７１で“ＹＥＳ”）、ＣＰＵ４１は、１秒間（予め設定された時間）、予め設定された角度（所定の角度範囲、例えば、５〜１０度など、上述の所定角度よりも大きくて良いが、１秒に比して十分に短い時間で移動が可能な範囲）内でモード指針６５を前後に振る動作を行わせる（ステップＳ１７２）。そして、ＣＰＵ４１の処理は、ステップＳ１６２に戻る。
【００４１】
所定角度内ではないと判別された場合には（ステップＳ１７１で“ＮＯ”）、ＣＰＵ４１は、モード指針６５を前回の測位結果に係る指針位置に早送り移動させる命令を駆動回路５２に出力する（ステップＳ１７３）。ＣＰＵ４１は、３秒間経過した後に更に１秒（予め設定された時間）経過するまでの間待機し（ステップＳ１７４）、その後、モード指針６５を今回の指針位置に早送り移動させる命令を駆動回路５２に出力する（ステップＳ１７５）。それから、ＣＰＵ４１の処理は、ステップＳ１６２に戻る。
【００４２】
図５は、上述の位置表示処理に係る位置表示の例を示す図である。
ここでは、モード指針６５により緯度が表示される場合の例を示す。
【００４３】
図５（ａ）に示すように、位置情報取得処理が開始されると、本実施形態のアナログ電子時計１では、モード指針６５が小窓４内で曜日を表示させていた状態（ここでは、土曜日）から、小窓４内の１２時方向（図で上向き）を指し示すように当該モード指針６５を移動させることで、測位動作中であることを示す。
【００４４】
ＧＰＳ受信処理部５０から現在位置が取得され、また、ＲＡＭ４３から前回の測位結果が取得されると、図５（ｂ）に示すように、先ず、現在位置の緯度が表示される。ここでは、モード指針６５が１時３０分方向を指し示すことで、北緯４５度であることが示されている。
【００４５】
前回計測された位置が、例えば、北緯３０度の場合、図５（ｃ）に示されるように、モード指針６５は、間欠的に北緯４５度を示す位置から当該北緯３０度を示す位置に移動される。この間欠的な動作としては、例えば、３秒間現在位置の表示に係る動作が行われた後、１秒間前回の位置を表示する動作が行われるといったように、表示時間を異ならせることで、どちらが現在位置であるかをユーザが知得出来るようにすることが出来る。
或いは、前回位置から現在位置にモード指針６５を移動させる場合と、前回位置から現在位置にモード指針６５を移動させる場合とで、指針の移動速度を異ならせることでどちらが現在位置であるかを示すことも出来る。
【００４６】
一方、前回の計測位置が北緯４２度であった場合には、前回位置と現在位置との角度差が小さい。このような場合には、単に間欠的に前回の位置をモード指針６５によって指し示させるのではなく、前回位置又は現在位置を中心に所定角度範囲、例えば、±６度の範囲でモード指針６５を往復動作させることで、位置変化が殆どないことを示しても良い。
【００４７】
以上のように、第１実施形態のアナログ電子時計１は、現在位置を取得するＧＰＳ受信処理部５０と、ＧＰＳ受信処理部５０により取得された位置を記憶するＲＡＭ４３と、回動自在に配置されたモード指針６５と、ＣＰＵ４１とを備え、ＣＰＵ４１は、ＧＰＳ受信処理部５０により取得された直近位置を示す動作と、当該直近位置より前に取得されてＲＡＭ４３に記憶された前回位置を示す動作とを、前者について３秒間、後者について１秒間、モード指針６５により交互に行わせる。
即ち、特に煩雑な操作をしなくても、ユーザは前回の位置と今回の位置とを容易に比較して知得することが出来る。従って、タイムゾーンの変更に係る設定が済んでいるか否かや、正しく行われているか否かといった情報を容易に取得することが出来る。
【００４８】
また、直近位置を示す動作に係る時間が３秒であり、前回位置を示す動作に係る時間が１秒であり、即ち、前者の方が後者より長くなるように定められている。従って、文字盤やベゼルなどに表示可能な標識の数や、独立に駆動可能な指針の数などに制限があるアナログ電子時計１において、無理なく容易にどちらが現在の位置であるかをユーザが容易に判断することが出来る。
【００４９】
また、直近位置と前回位置との差が所定の範囲、ここでは、１度や５度といった設定値より小さい値の場合には、前回位置を示す動作として、直近位置に対応する指示位置に対して所定の角度範囲内、ここでは、例えば、±５〜１０度といった範囲でモード指針６５を往復動作させる。このような動作により、厳密な位置情報が必要の無い場合であって、且つ、アナログ電子時計１のように表示エリアのサイズが小さくて細かい位置のずれを知得しづらい場合に、略同一の位置であることを容易に知得することが出来る。特に、前回の位置情報が無い場合と、前回の位置情報と変化がない場合とで容易に区別がつくので、位置情報の変化がほとんど無いことをユーザが容易に知得することが出来る。
【００５０】
また、モード指針６５を往復動作させる角度範囲は、直近位置に対応する指示位置に対して当該モード指針６５の正転方向及び逆転方向に等しい角度ずつ定められるので、直近位置の読み取りと、前回位置との比較結果の知得とをユーザが容易にまとめて行うことが出来る。
【００５１】
［第２実施形態］
次に、第２実施形態のアナログ電子時計１ａについて説明する。
図６は、第２実施形態のアナログ電子時計１ａの内部構成を示すブロック図である。
【００５２】
この第２実施形態のアナログ電子時計１ａは、第１モード指針６５ａ（第１指針、緯度指針）及び第２モード指針６５ｂ（第２指針、経度指針）が設けられ、それぞれ独立のステッピングモータ８４ａ、８４ｂにより輪列機構７４ａ、７４ｂを介して回転動作される。その他の構成は第１実施形態のアナログ電子時計１と同一であり、同一の符号を付して説明を省略する。
【００５３】
次に、第２実施形態のアナログ電子時計１ａにおける位置情報取得処理について説明する。
本実施形態のアナログ電子時計１ａにおいて、ＣＰＵ４１により制御される位置情報取得処理の内容は、ステップＳ１０６の処理内容が異なる点を除き、図３に示した位置情報取得処理と同一である。
【００５４】
図７は、本実施形態のアナログ電子時計１ａにおける小窓４内部の外観を示した平面図である。
【００５５】
小窓４内には、第１モード指針６５ａと第２モード指針６５ｂとが同一の回転軸に対して回転動作可能に設けられている。第１モード指針６５ａは、第２モード指針６５ｂより長く、小窓４には、第１モード指針６５ａの長さと第２モード指針６５ｂの長さのそれぞれに対応した半径の同心円が描かれている。第１モード指針６５ａは、緯度（一方の座標成分）の表示に用いられ、第１モード指針６５ａの長さに対応した円は、緯度目盛となっている。小窓４内における９時から３時までの範囲（１２時側、図における上側半分）が北半球の緯度（北緯）を表すのに用いられ、３時から９時までの範囲（６時側、図における下側半分）が南半球の緯度（南緯）を表すのに用いられる。また、第２モード指針６５ｂは、経度（他方の座標成分）の表示に用いられ、第２モード指針６５ｂの長さに対応した円は、経度目盛となっている。小窓４内における１２時から６時までの範囲（３時側、図における右側半分）が東経を表すのに用いられ、６時から１２時までの範囲（９時側、図における左側半分）が西経を表すのに用いられる。
【００５６】
図８には、本実施形態のアナログ電子時計１ａで実行される位置情報取得処理で呼び出される測位結果表示処理のＣＰＵ４１による制御手順を示すフローチャートである。
【００５７】
この測位結果表示処理では、ステップＳ１７１〜Ｓ１７５の処理がステップＳ１７１ａ、Ｓ１７１ｂ、Ｓ１７２ａ、Ｓ１７２ｂ、Ｓ１７３ａ、Ｓ１７３ｂに置き換えられ、またステップＳ１８１、Ｓ１８２ａ、Ｓ１８２ｂ、Ｓ１８３の処理が追加されている。これら以外の処理については、第１実施形態の測位結果表示処理に係る各処理と同一であり、同一の符号を付して詳しい内容の説明を省略する。
【００５８】
測位結果表示処理が開始されると、ＣＰＵ４１は、今回の位置が赤道より北、即ち、北半球であるか否かを判別する（ステップＳ１８１）。赤道より北であると判別された場合には（ステップＳ１８１で“ＹＥＳ”）、ＣＰＵ４１は、経度の表示を３時から９時の間、即ち、南半球の表示側（６時側）で行わせる設定を行い（ステップＳ１８２ａ）、処理をステップＳ１６１に移行させる。今回の位置が赤道より北ではないと判別された場合には（ステップＳ１８１で“ＮＯ”）、ＣＰＵ４１は、経度の表示を９時から３時の間、即ち、北半球の表示側（１２時側）で行わせる設定を行い（ステップＳ１８２ｂ）、処理をステップＳ１６１に移行させる。
【００５９】
ステップＳ１６３の処理で“ＮＯ”に分岐すると、ＣＰＵ４１は、前回との緯度差が所定角度内であるか否かを判別する（ステップＳ１７１ａ）。緯度差が所定角度内であると判別された場合には（ステップＳ１７１ａで“ＹＥＳ”）、ＣＰＵ４１は、第１モード指針６５ａに設定角度内で前後動作を行わせる設定を行い（ステップＳ１７２ａ）、処理をステップＳ１７１ｂに移行させる。緯度差が所定角度内ではないと判別された場合には（ステップＳ１７１ａで“ＮＯ”）、ＣＰＵ４１は、第１モード指針６５ａに前回緯度の表示を行わせる設定を行い（ステップＳ１７３ａ）、処理をステップＳ１７１ｂに移行させる。
【００６０】
次いで、ＣＰＵ４１は、ステップＳ１７１ｂの処理において、前回との経度差が所定角度内であるか否かを判別する（ステップＳ１７１ｂ）。経度差が所定角度内であると判別された場合には（ステップＳ１７１ｂで“ＹＥＳ”）、ＣＰＵ４１は、第２モード指針６５ｂに設定角度内で前後動作を行わせる設定を行い（ステップＳ１７２ｂ）、処理をステップＳ１８３に移行させる。経度差が所定角度内ではないと判別された場合には（ステップＳ１７１ｂで“ＮＯ”）、ＣＰＵ４１は、第２モード指針６５ｂに前回経度の表示を行わせる設定を行い（ステップＳ１７３ｂ）、処理をステップＳ１８３に移行させる。
【００６１】
ステップＳ１８３の処理に移行すると、ＣＰＵ４１は、第１モード指針６５ａと第２モード指針６５ｂの動作設定に基づいて各々の動作制御信号を駆動回路５２に出力する（ステップＳ１８３）。ＣＰＵ４１は、所定時間、ここでは、１秒間、それぞれの処理により前回の位置表示に係る動作を行わせた後、現在位置の表示状態に戻し、それから、処理をステップＳ１６２に戻す。
【００６２】
図９は、本実施形態のアナログ電子時計１ａによる位置表示の例を示す図である。
図９（ａ）に示すように、第１モード指針６５ａにより北緯４５度が示されている場合、経度は、第２モード指針６５ｂにより、南半球側の３時から９時までの範囲を使って示される。ここでは、第２モード指針６５ｂは、３時から６時までの間、即ち、東経であることを示し、また、その値が約３０度であることを示している。
【００６３】
一方、図９（ｂ）に示すように、第１モード指針６５ａにより南緯４５度が示されている場合、経度は、第２モード指針６５ｂにより、北半球側の９時から３時までの範囲を使って示される。ここでは、第２モード指針６５ｂは、９時から１２時までの間を指し示すことで西経であることを示し、また、その値が、約７０度であることを示している。
【００６４】
図１０は、本実施形態のアナログ電子時計１ａにおける測位結果表示処理の他の例を示すフローチャートである。
この例では、図８に示した測位結果表示処理におけるステップＳ１８１、Ｓ１８２ａ、Ｓ１８２ｂがそれぞれステップＳ１８１ｃ、Ｓ１８２ｃ、Ｓ１８２ｄに置き換えられた点を除き同一であり、同一の処理については同一の符号を付して説明を省略する。
【００６５】
測位結果表示処理が呼び出されると、ＣＰＵ４１は、今回の計測位置が東経の範囲であるか否かを判別する（ステップＳ１８１ｃ）。東経の範囲であると判別された場合には（ステップＳ１８１ｃで“ＹＥＳ”）、ＣＰＵ４１は、緯度を６時から１２時までの範囲、即ち、９時側で表示させるように設定し（ステップＳ１８２ｃ）、処理をステップＳ１６１に移行させる。
【００６６】
東経の範囲ではないと判別された場合には（ステップＳ１８１ｃで“ＮＯ”）、ＣＰＵ４１は、緯度を１２時から６時までの範囲、即ち、３時側で表示させるように設定し（ステップＳ１８２ｄ）、処理をステップＳ１６１に移行させる。
【００６７】
この例で示した測位結果表示処理によっても、図８で示した測位結果表示処理と同様に、緯度を示す第１モード指針６５ａと経度を示す第２モード指針６５ｂとが重なって結果を読み取りづらくするのを避けることが出来る。
【００６８】
［第３実施形態］
次に、第３実施形態のアナログ電子時計について説明する。
この第３実施形態のアナログ電子時計１は、位置情報取得処理の動作内容が異なる点を除き、第１実施形態のアナログ電子時計１と同一の構成及び動作内容であり、同一の構成および処理内容については同一の符号を付して説明を省略する。
【００６９】
図１１は、本実施形態のアナログ電子時計１による位置情報取得処理のＣＰＵ４１による制御手順を示すフローチャートである。
【００７０】
この位置情報取得処理は、図３に示した第１実施形態の位置情報取得処理におけるステップＳ１０２の処理がステップＳ１０２ｅ及びステップＳ１０２ｆに置き換えられた点を除いて同一であり、その他の処理については同一の符号を付して説明を省略する。
【００７１】
ステップＳ１０１の処理が実行された後、ＣＰＵ４１は、前回の測位結果をＲＡＭ４３から取得する（ステップＳ１０２ｅ）。ＣＰＵ４１は、駆動回路５２に制御信号を出力してモード指針６５に測位動作中であることを示す所定の指針動作を継続的に行わせながら、最終的に前回の位置を示させて停止させる（ステップＳ１０２ｆ）。それから、ＣＰＵ４１の処理は、ステップＳ１０３に移行する。
【００７２】
このように、本実施形態のアナログ電子時計１では、ＧＰＳ衛星からの電波受信中に、当該受信中を示す報知動作をモード指針６５に行わせる。このとき、モード指針６５の動作パターンは、適宜設定されるが、最終的に前回の計測位置を表示する位置で一時停止させ、その後、今回の計測位置に移動させることで、前回と今回の計測位置を容易に比較可能とする。
なお、前回の計測位置での停止時間が長いと、今回の計測位置であるとユーザに誤解される虞が生じるので、停止時間は、短くて良い。
【００７３】
以上のように、第２実施形態のアナログ電子時計１ａ及び第３実施形態のアナログ電子時計１では、近似的に二次元面である地球表面上における位置の表示の際に用いられる一方の座標成分である緯度を示す第１モード指針６５ａと、他方の座標成分である経度を示す第２モード指針６５ｂとが含まれ、直近位置及び前回位置に係る緯度値の差及び経度値の差がそれぞれ所定角度内であるか否かに基づいて第１モード指針６５ａ及び第２モード指針６５ｂによる前回位置の表示に今回位置に対する前後動作を行うか、前回位置自体を表示させるかを別個に制御する。
従って、多くの場合に位置を知得するのに必要な二次元データを容易に表示させることが出来ると共に、これらを独立に制御することで、緯度のみの変化に係る表示と同様に、どの方角にどれだけ動いたかを知得することが出来る。
【００７４】
また、緯度を示す第１モード指針６５ａと経度を示す第２モード指針６５ｂとは、それぞれ３６０度回動可能であり、第１モード指針６５ａは、小窓４内で９時から３時の位置（１２時側）で北緯を表示し、３時の位置から９時の位置（６時側）で南緯を表示する。そして、第２モード指針６５ｂによる経度の表示は、第１モード指針６５ａにより緯度が表示されていない側の半分を用いて行わせる。
これにより、第１モード指針６５ａと第２モード指針６５ｂとの指示位置が重なって表示されている位置が読み取り難い状況が生じるのを防ぐことが出来る。即ち、アナログ電子時計１ａのように小型の指針が同一の狭い領域内で回転するように配置されている場合であっても、構造上の変更を行う必要なく容易に読み取りやすく二次元データを表示させることが出来る。
【００７５】
同様に、３６０度回動可能な第１モード指針６５ａと第２モード指針６５ｂにおいて、第２モード指針６５ｂは、小窓４内で１２時から６時の位置（３時側）で東経を表し、６時から１２時の位置（９時側）で西経を表す。そして、第１モード指針６５ａによる緯度の表示は、第２モード指針６５ｂにより経度が表示されていない側の半分を用いて行わせる。従って、この場合にも、構造上の変更を行う必要なく、緯度と経度の表示が重ならずに容易に読み取りやすい表示を行わせることが出来る。
【００７６】
なお、本発明は、上記実施の形態に限られるものではなく、様々な変更が可能である。
例えば、上記実施の形態では、モード指針６５、又は第１モード指針６５ａ及び第２モード指針６５ｂを用いて位置の表示を行う例を示したが、指針や文字盤３の本数や配置などは、これに限られない。例えば、小窓４〜６及び小窓内の指針が一切設けられないアナログ電子時計において、独立に駆動制御される時針６３と分針６２とにより位置が示されても良い。
【００７７】
また、上記実施の形態では、１本のモード指針６５により緯度のみを表示する例と、第１モード指針６５ａ及び第２モード指針６５ｂの２本により緯度及び経度をそれぞれ表示する例とを示したが、これらに限られない。一本のモード指針６５で経度のみを表示することも可能である。また、動作可能な指針が三本ある場合には、緯度及び経度に加えて三本目の指針により高度を表示可能としても良い。また、複数の指針が用いられる場合、原理的には、これらが一のステッピングモータにより連動して回転動作されても良いが、複数の指針がそれぞれ独立に回転動作される方が動作時間の短縮や動作ステップ数の削減を図ることが出来る。
【００７８】
また、上記実施の形態では、第１モード指針６５ａと第２モード指針６５ｂがそれぞれ独立に緯度と経度を示すこととしたが、これに限られない。例えば、第１モード指針６５ａにより緯度、及び東経又は西経の何れであるかを示し、第２モード指針６５ｂが経度の絶対値のみを示すことも可能である。同様に、第２モード指針６５ｂが経度、及び南北半球の何れであるかを示し、第１モード指針６５ａにより緯度の絶対値のみを示すことも出来る。
【００７９】
また、上記実施の形態では、地球上における緯度と経度を用いて二次元的な位置の表示を行う例について説明したが、所定の基準位置からの相対的な位置をデカルト座標系（ＸＹ座標系）で表示させる場合に本発明を適用しても良い。この場合、北緯及び南緯と、東経及び西経の値をそれぞれ相対位置の正負に置き換えて、二本の指針による表示位置を定めても良い。
【００８０】
また、上記実施の形態では、ＧＰＳ衛星からの位置データの取得を例に挙げて説明したが、これに限られない。ＧＬＯＮＡＳＳ衛星など、他の測位衛星からのデータに基づいて位置を取得しても良いし、Bluetooth（登録商標）といった無線通信を介して外部から取得された位置情報を表示する際に本発明を適用しても良い。
【００８１】
また、上記実施の形態では、現在位置の表示時間を前回の位置表示時間よりも長くすることで、何れが現在位置であるかを示すこととしたが、現在位置と前回の位置との区別が付けられれば、この方法に代えて又は加えて、他の方法を用いても良い。例えば、前回の位置を示す指示位置から現在位置を示す指示位置へのモード指針６５の移動速度を、現在位置を示す指示位置から前回の位置を示す指示位置へ戻す際のモード指針６５の移動速度よりも遅く、又は、早く設定することが出来る。
【００８２】
また、上記実施の形態では、１本のモード指針６５で緯度又は経度の表示を行わせ、二本の指針である第１モード指針６５ａ及び第２モード指針６５ｂで緯度及び経度の表示を行わせることとしたが、１本の指針で緯度と経度を交互に表示させることも出来る。この場合、緯度表示中には、前回の緯度と今回の緯度とを交互に表示し、経度表示中には、前回の経度と今回の経度とを交互に表示させることで、本発明を適用することが出来る。また、このとき、緯度表示を行う角度範囲と、経度表示を行う角度範囲とを完全に又は部分的に分離することが出来る。例えば、緯度表示と経度表示とを３時側と９時側とで完全に分離しても良い。或いは、上述のように、緯度又は経度の何れかの表示範囲を先に定めて他方の表示範囲を対応するように定めても良い。例えば、緯度表示範囲を先に定める場合、現在位置が赤道よりも北側の場合には、経度表示を６時側の１８０度の範囲で行わせ、現在位置が赤道よりも南側の場合には、経度表示を１２時側の１８０度の範囲で行わせても良い。
【００８３】
また、上記実施の形態では、前回の計測位置が現在位置に近い場合に、当該現在位置を中心に等しい角度ずつ前後に往復動作させることとしたが、往復動作の角度範囲は、これに限られない。例えば、現在位置に対して前回の計測位置の側により大きい角度範囲を定めて往復動作を行わせても良い。
【００８４】
また、上記実施の形態では、緯度に係る前回位置表示のタイミングと、経度に係る前回位置表示のタイミングとを同時に行わせたが、タイミングをずらして行うことでユーザが前回位置の各座標成分を短時間で読み取りやすくすることも可能である。
【００８５】
また、上記実施の形態では、計測時に現在位置と前回の計測位置とを表示させる場合について説明したが、計測とは別個に、直近に計測された位置情報を確認表示させる場合に表示機能のみを呼び出して実行することとしても良い。また、表示対象の前回位置としては、１回だけではなく、例えば、予め設定された最大回数内で複数回分の取得位置、又は、予め設定された期間内での取得位置を、順番に表示可能としても良い。
【００８６】
また、上記実施の形態では、指針式表示装置としてアナログ電子時計１を例に挙げて説明したが、指針式の電子歩数計など、他の指針式表示を行う電子機器で位置を表示させる場合に適用しても良い。
その他、上記実施の形態で示した構成、配置や制御手順などの具体的な細部は、本発明の趣旨を逸脱しない範囲において適宜変更可能である。
【００８７】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８８】
［付記］
＜請求項１＞
現在位置を取得する位置取得手段と、
当該位置取得手段により取得された位置を記憶する記憶手段と、
回動自在に配置された指針と、
前記位置取得手段により直近に取得された直近位置を示す動作と、当該直近位置より前に取得されて前記記憶手段に記憶された前回位置を示す動作とを、前記指針により各々予め設定された時間ずつ交互に行わせる位置表示制御手段と、
を備えることを特徴とする指針式表示装置。
＜請求項２＞
前記予め設定された時間は、前記直近位置を示す動作に係る時間が前記前回位置を示す動作に係る時間より長くなるように定められることを特徴とする請求項１記載の指針式表示装置。
＜請求項３＞
前記位置表示制御手段は、前記直近位置と前記前回位置との差が所定の範囲内である場合には、前記前回位置を示す動作として、前記直近位置に対応する指示位置に対して所定の角度範囲内で前記指針を往復動作させることを特徴とする請求項１又は２記載の指針式表示装置。
＜請求項４＞
前記所定の角度範囲は、前記直近位置に対応する指示位置に対して前記指針の正転方向及び逆転方向に等しい角度ずつ定められることを特徴とする請求項３記載の指針式表示装置。
＜請求項５＞
前記指針には、二次元面内における位置の一方の座標成分を示す第１指針と他方の座標成分を示す第２指針とが含まれ、
前記位置表示制御手段は、前記直近位置及び前記前回位置に係る前記一方の座標成分の差及び前記他方の座標成分の差がそれぞれ前記所定の範囲内であるか否かに基づいて前記第１指針及び前記第２指針の動作を別個に制御する
ことを特徴とする請求項３又は４記載の指針式表示装置。
＜請求項６＞
前記指針には、緯度を示す緯度指針と経度を示す経度指針とが含まれ、
前記緯度指針と前記経度指針とは、それぞれ３６０度回動可能であり、
前記緯度指針は、所定の１８０度の範囲で北緯を表示し、残りの１８０度の範囲で南緯を表示し、
前記位置表示制御手段は、前記経度指針に、２つの前記１８０度の範囲のうち、前記緯度指針が緯度を表示していない側の１８０度の範囲で経度を表示させるように前記緯度指針及び前記経度指針を移動させる
ことを特徴とする請求項１〜４の何れか一項に記載の指針式表示装置。
＜請求項７＞
前記指針には、緯度を示す緯度指針と経度を示す経度指針とが含まれ、
前記緯度指針と前記経度指針とは、それぞれ３６０度回動可能であり、
前記経度指針は、所定の１８０度の範囲で東経を表示し、残りの１８０度の範囲で西経を表示し、
前記位置表示制御手段は、前記緯度指針に、２つの前記１８０度の範囲のうち、前記経度指針が経度を表示していない側の１８０度の範囲で緯度を表示させるように前記緯度指針及び前記経度指針を移動させる
ことを特徴とする請求項１〜４の何れか一項に記載の指針式表示装置。
【符号の説明】
【００８９】
１     アナログ電子時計
１ａ   アナログ電子時計
２     ケーシング
３     文字盤
４     小窓
５     小窓
６     小窓
７     開口部
４１   ＣＰＵ
４２   ＲＯＭ
４２ａ プログラム
４３   ＲＡＭ
４４   発振回路
４５   分周回路
４６   計時回路
４７   操作部
４８   標準電波受信部
４９   アンテナ
５０   ＧＰＳ受信処理部
５０ａ 制御部
５１   アンテナ
５２   駆動回路
５４   電源部
６１   秒針
６２   分針
６３   時針
６４   日車
６５   モード指針
６５ａ 第１モード指針
６５ｂ 第２モード指針
６６   機能指針
６７   機能指針
６８   ２４時間指針
７１   輪列機構
７２   輪列機構
７３   輪列機構
７４   輪列機構
７４ａ 輪列機構
７５   輪列機構
８１   ステッピングモータ
８２   ステッピングモータ
８３   ステッピングモータ
８４   ステッピングモータ
８４ａ ステッピングモータ
８５   ステッピングモータ
Ｂ１-Ｂ３     ボタンスイッチ
Ｃ１   りゅうず
【図１】
2015184105.tif 000003
【図２】
2015184105.tif 000004
【図３】
2015184105.tif 000005
【図４】
2015184105.tif 000006
【図５】
2015184105.tif 000007
【図６】
2015184105.tif 000008
【図７】
2015184105.tif 000009
【図８】
2015184105.tif 000010
【図９】
2015184105.tif 000011
【図１０】
2015184105.tif 000012
【図１１】
2015184105.tif 000013